(57)【要約】  【課題】鼻孔に強固にへばりついた鼻糞でも除去できる鼻孔掃除具を提供することを目的とする。  【解決手段】台座４に棒状ブラシ部材２の軸棒２２の先端が直立して埋め込まれている。台座４の反対側にはスポイト部材３が直立して着脱自在に取り付けられている。棒状ブラシ部材２の先端部を丸めて環状部を形成し、この環状部を棒状ブラシの軸棒２２に対してある角度だけ傾斜して鼻糞掻き出し部２１を形成する。棒状ブラシ部材２およびスポイト部材３にはそれぞれキャップ５、６を被せる。【選択図】図１
2015002941.tif 000002
【特許請求の範囲】
【請求項１】
棒状ブラシの先端部を丸めて環状部を形成し該環状部を上記棒状ブラシの軸棒に対して予
め定められた角度傾斜して鼻糞掻き出し部を形成してなる棒状ブラシ部材を備えているこ
とを特徴とする鼻孔掃除具。
【請求項２】
上記棒状ブラシ部材は２本の針金に一定の間隔を置いて複数本の耐水性の短繊維の束を挟
み込み捲回して短繊維が螺旋状に突出する様に構成されていることを特徴とする請求項１
記載の鼻孔掃除具。
【請求項３】
上記予め定められた角度が３０〜６０度の範囲内であることを特徴とする請求項１記載の
鼻孔掃除具。
【請求項４】
上記予め定められた角度が４５度であることを特徴とする請求項３記載の鼻孔掃除具。
【請求項５】
台座の一方に、棒状ブラシの先端部を丸めて環状部を形成し該環状部を上記棒状ブラシの
棒軸に対して予め定められた角度傾斜して鼻糞掻き出し部を形成してなる棒状ブラシ部材
が台座の一方に立設して取り付けられ、該台座の反対側にはスポイト部材が立設して取り
付けられていることを特徴とする鼻孔掃除具。
【請求項６】
上記スポイト部材の基部の開放端は外部に開放されており、該基部を上記台座に嵌め込む
ことにより上記基部を閉鎖するように構成されていることを特徴とする請求項５記載の鼻
孔掃除具。
【請求項７】
上記スポイト部材の基部は、上記台座に着脱自在に取り付けられていることを特徴とする
請求項５記載の鼻孔掃除具。
【請求項８】
上記スポイト部材は、上記台座に螺合により着脱自在に取り付けられていることを特徴と
する請求項７記載の鼻孔掃除具。
【請求項９】
上記スポイト部材は、シリコーン樹脂等のソフトな合成樹脂で製造されていることを特徴
とする請求項５記載の鼻孔掃除具。
【請求項１０】
上記ブラシ部材を収容する細長いキャップを台座に着脱自在にかぶせると共に、上記スポ
イト部材を収容する細長いキャップを上記台座の反対側に着脱自在にかぶせたことを特徴
とする請求項５記載の鼻孔掃除具。
【請求項１１】
上記キャップの一方または双方の頂部を扁平にしたことを特徴とする請求項１０記載の鼻
孔掃除具。
【発明の詳細な説明】
【技術分野】
【０００１】
本発明は、鼻孔の掃除具、特に鼻糞を安全、容易に掻き出すのに適した鼻孔掃除具に関す
るものである。
【背景技術】
【０００２】
従来、鼻糞を掃除するための道具は各種提案されている。例えば、特開２００２−２７
２６３３号公報には、ピンセット型の掃除具が開示されている。また、登録実用新案第３
００９１３５号公報には、特殊な形状をした綿棒が開示されている。
【先行技術文献】
【特許文献】
【０００３】
【特許文献１】特開２００２−２７２６３３号公報
【特許文献２】登録実用新案第３００９１３５号公報
【発明の概要】
【発明が解決しようとする課題】
【０００４】
上記の特開２００２−２７２６３３号公報記載の鼻孔掃除具は、ピンセットタイプで、鼻
孔を傷つけないように先端を丸くしている。しかし、いくら小さくしてもピンセットタイ
プのものは鼻に入れた時に違和感があり、また、鼻孔の側壁に付着している鼻糞は取りに
くいという欠点がある。
【０００５】
登録実用新案第３００９１３５号公報に記載の綿棒は、スクリュー状の凸線を設けている
が、それでもこのような綿棒では鼻孔壁に固くへばりついた鼻糞をとるのは難しく、また
、水を付けて掃除すると綿棒が直ぐふやけて掃除できなくなるという欠点がある。
【０００６】
本発明は、上記の欠点を改良し、鼻孔に強固にへばりついた鼻糞でも除去できる鼻孔掃除
具を提供することを目的とする。
【０００７】
本発明は、水を付けて掃除することもできる鼻孔掃除具を提供することを他の目的とする
。
【０００８】
本発明は、棒ブラシとスポイトを併用することにより、鼻水、固い鼻糞の何れでも容易に
除去することができる鼻孔掃除具を提供することを他の目的とする。
【課題を解決するための手段】
【０００９】
本発明の鼻孔掃除具は、棒状ブラシの先端部を丸めて環状部を形成し該環状部を上記棒状
ブラシの棒軸に対して予め定められた角度傾斜して鼻糞掻き出し部を形成してなる棒状ブ
ラシ部材を備えたことを特徴とするものである。
【００１０】
上記棒状ブラシ部材は二本の針金に一定の間隔を置いて複数本の耐水性の短繊維の束を挟
み込み捲回して短繊維が螺旋状に突出する様に構成されている。
【００１１】
上記予め定められた傾斜角度が３０〜６０度の範囲内であることが鼻糞描きだし効果上好
ましく、特に、４５度であることが最も好ましい。
【００１２】
本発明の鼻孔掃除具は、上記棒状ブラシ部材が台座の一方に立設して取り付けられ、該台
座の反対側にスポイト部材が立設して取り付けられていることを特徴とする。
【００１３】
上記スポイト部材の基部の開放端は外部に開放されており、該基部を台座に嵌め込むこと
により上記基部を閉鎖させるように構成されている。
【００１４】
上記スポイト部材の基部は、上記台座に着脱自在に取り付けられている。着脱自在に取り
付けるために、上記台座に設けた凹溝内にスポイト部材の基部を挿入したり、上記台座に
突出したボスにスポイト部材の基部の開放端を嵌め込むように構成してもよい。
【００１５】
最も強固に上記スポイト部材を上記台座に着脱自在に取り付けるためには両者に螺旋溝を
形成し螺合させるのがよい。
【００１６】
上記スポイト部材は、比較的に柔らかい合成樹脂製であることが好ましい。特に幼児の鼻
に挿入して掃除するためには少なくとも吸い口部分がソフトなシリコーン製であることが
好ましい。
【００１７】
上記棒状ブラシ部材を収容する細長いキャップを台座に着脱自在にかぶせると共に、上記
スポイト部材を収容する細長いキャップを上記台座の反対側に着脱自在にかぶせるように
構成することが好ましい。そして、上記キャップの一方または双方の頂部を扁平にして、
この鼻孔掃除具を直立して置けるような底部を構成するのが好ましい。
【発明の効果】
【００１８】
本発明の鼻孔掃除具は、棒状のブラシの先端に傾斜した鼻糞掻き出し部が取付けられてい
る。従って、棒状ブラシを鼻孔に差し込み、回転して、鼻孔内面に付着した鼻糞を掻き取
った後、傾斜した鼻糞掻き出し部で掻き出すことができるので、強固に付着した鼻糞でも
容易に除去することができる。その際の、鼻糞掻き出し部の傾斜角度は種々実験した結果
、棒状ブラシの軸棒に対して３０〜６０度、好ましいくは４５度である場合が最もよく鼻
糞を掻き出すことができることが判った。
【００１９】
本発明の鼻孔掃除具の棒状ブラシ部材は耐水性のブラシで構成されているので、水を付け
て鼻孔を掃除することができ、強固に付着した鼻糞でも容易に取り出すことができる。
【００２０】
本発明の鼻孔掃除具は、スポイト部材が反対側に取り付けられているので、スポイト部で
水を鼻孔に注入した後、棒状ブラシを使用することが出来るので、鼻糞の除去が容易にな
る。
【００２１】
本発明の鼻孔掃除具は、ブラシ部材及びスポイト部材に細長いキャップをかぶせることが
出来るので、携帯の際にブラシ部材及びスポイト部材が直接衣類等に触れることがないの
で清潔である。
【００２２】
本発明の鼻孔掃除具は、棒状ブラシ部材とスポイト部材とは台座の反対側に取り付けられ
、それぞれ細長いキャップがかぶせられているので、ブラシ部材を使用する場合は、ブラ
シ部材のキャップを取り外し、スポイト部材のキャップは付けたままで、保持用の柄とし
て使用でき、スポイト部材を使用する場合は、スポイト部材のキャップを取り外し、ブラ
シ部材のキャップは付けたままで保持用の柄として使用できるので、使い勝手が非常に良
いというメリットがある。
【００２３】
本発明の鼻孔掃除具は、スポイト部材が付設されているので、鼻孔の洗浄や、鼻水の吸引
に使用することができる。
【００２４】
本発明の鼻孔掃除具のスポイト部材の基部は、台座に着脱自在に嵌め込まれており、しか
も基部の開放端は外部に開放されているので、スポイト部材を使用した後、台座から取り
外し、スポイト内部を水で洗浄することができるので衛生的である。
【００２５】
本発明の鼻孔掃除具のスポイト部材は、シリコーン樹脂等のソフトな合成樹脂で製造され
ているので、幼児の鼻の掃除や鼻水の吸引に使用しても幼児の鼻孔を傷つけることなく安
全である。
【００２６】
上記キャップの一方または双方の頂部を扁平にしたので、本発明の鼻孔掃除具を直立して
置くことができる。また、キャップを取り外せばコップとしても使用できるので、棒状ブ
ラシを水で濡らして使用する際の容器や、スポイト用の水の容器、ブラシやスポイトの洗
浄用の容器としても使用できる。
【図面の簡単な説明】
【００２７】
【図１】本発明の実施例１の鼻孔掃除具の断面図。
【図２】棒状ブラシ部材の（ａ）は平面図、（ｂ）は側面図を示す。
【図３】本発明の実施例２の鼻孔掃除具の断面図。
【発明を実施するための形態】
【００２８】
以下、実施例を参照して本発明の実施の形態を説明する。
【実施例１】
【００２９】
図１に示されるように、本発明の鼻孔掃除具１は台座４に棒状ブラシ部材２の軸棒２２の
先端が直立して埋め込まれている。台座４の反対側にはスポイト部材３が直立して着脱自
在に取り付けられている。
【００３０】
棒状ブラシ部材２は図２（ａ），（ｂ）に示されるように、２本の針金の間にナイロン等
の耐水性の短繊維２３を数本ずつ纏めた束をある間隔を置いて挟み込み、２本の針金（軸
棒２２）を捲回して作成する。そして、その先端部を丸めて環状部を形成し、この環状部
を棒状ブラシ部材の軸棒２２に対してある角度αだけ傾斜して鼻糞掻き出し部２１を形成
する。αは３０〜６０度、好ましくは４５度である。
【００３１】
台座４は円柱状突起４１、環状鍔部４２、円筒状突起４３より構成されている。円柱状突
起４１の頂部には棒状ブラシ２の軸棒２２が埋め込まれている。反対側の円柱状突起４３
には、スポイト部材３の基部３３が着脱自在に挿入されている。
【００３２】
スポイト部材３は吸い口３１、膨大部３２、基部３３とより構成されている。基部３３の
解放端は外部に開放された開口３５を有する。スポイト部材３を台座４に挿入するとこの
開口３５は閉鎖され、膨大部３２を圧迫して開放すると内部に陰圧が発生し、吸い口３１
から液体を吸い込むことができる。スポイト部材３はなるべくソフトな合成樹脂材料で構
成することが好ましい。特に、幼児の鼻水を吸い取るためには少なくとも先端はシリコー
ン樹脂で構成することが好ましい。
【００３３】
棒状ブラシ部材２用にはキャップ５が台座４の円柱状突起４１にその環状鍔部４２まで嵌
めこまれている。スポイト部材３用には、キャップ６が台座４の円筒状突起４３の外側に
環状鍔部４２まで嵌めこまれている。このキャップ５または６内には綿棒等の鼻孔掃除後
の鼻孔を拭き取るための道具を収納することができる。
【００３４】
棒状ブラシ２を使用する際はキャップ５を外し、ブラシ２に水を付けて鼻孔の掃除をする
。その際、スポイト部材３のキャップ６は付けたままとし、キャップ６そのものが取っ手
として機能する。スポイト部材３を使用する場合は、キャップ６は外し、棒状ブラシ部材
のキャップ５を取っ手とする。スポイト部材３は鼻の中に水を注入したり、鼻水を吸引し
たりする用に供する。
【実施例２】
【００３５】
図３には第２の実施例が示されている。この実施例では、円筒状突起４３の内面と基部３
３の外面には螺旋状の溝４４，３４が形成され、円筒状突起４３の内面にスポイト部材３
の基部３３を捻じ込んでスポイト部材３を台座４に固定することができる。
【００３６】
また、この実施例では、スポイト部材３のキャップ６の先端が平坦にされてコップの底部
６１を形成する。したがって、このキャップ６を嵌めたまま鼻孔掃除具１を直立して置く
ことができるので、化粧台の整頓上便利である。
【００３７】
また、このキャップ６はコップとしても使用できるので、棒状ブラシ部材２を使用する際
に、水や塩水を入れておけば、ブラシを濡らしながら鼻掃除をすることができる。また、
掃除が終わった後でブラシを洗浄することもできる。スポイト部材３と組み合せて使用す
る場合は、キャップ６に水や塩水を入れ、スポイト部材３で吸い込み鼻孔を洗浄すること
ができる。また、スポイト部材３の使用が終わった後で、スポイト部材３の洗浄に使用す
ることができる。
【産業上の利用可能性】
【００３８】
本発明の鼻孔掃除具は、棒状ブラシ部材に水を付けて鼻孔の中を丁寧に清掃すれば花粉症
の予防具としても使用することができる。
【符号の説明】
【００３９】
１  鼻孔掃除具
２  棒状ブラシ部材
２１  鼻糞掻き出し部
３  スポイト部材
３１  吸い口
３３  基部
３４  螺子溝
４  台座
４１  円柱状突起
４４  螺子溝
５  キャップ
６  キャップ
６１  底部
【図１】
2015002941.tif 000003
【図２】
2015002941.tif 000004
【図３】
2015002941.tif 000005